(57)【特許請求の範囲】
【請求項１】
加入者を示す識別情報ごとにサービス情報を対応付けたサービス管理情報を記憶する記憶手段と、
発信側端末から着信側端末に対する通信接続の接続信号を受信する受信手段と、
前記受信手段により受信された接続信号に含まれている識別情報に基づいて、前記発信側端末が利用可能なサービスを示すサービス情報を、前記記憶手段に記憶されているサービス管理情報から抽出する抽出手段と、
前記抽出手段により抽出されたサービス情報を前記接続信号とともに前記着信側端末に送信する送信手段と、
を備える通信制御装置。
【請求項２】
前記受信手段は、前記発信側端末において設定されている、サービス情報の開示可否を示す可否情報を含んだ接続信号を受信し、
前記送信手段は、前記可否情報が開示可であると判断される場合に、サービス情報の送信を行うことを特徴とする請求項１に記載の通信制御装置。
【請求項３】
前記記憶手段は、加入者の識別情報と当該加入者が使用している機種情報とを対応付けて記憶するとともに、機種情報とサービス情報とを対応付けて記憶し、
前記受信手段は、前記発信側端末から前記加入者の識別情報を含んだ接続信号を受信し、
前記抽出手段は、前記受信手段により受信された識別情報に基づいて機種情報を抽出し、抽出された機種情報に基づいて前記発信側端末が利用可能なサービス情報を抽出することを特徴とする請求項１または２に記載の通信制御装置。
【請求項４】
請求項１から３のいずれか１項に記載の通信制御装置と通信する通信端末であって、
通信宛先ごとに、サービス情報を記憶する記憶手段と、
前記通信制御装置を介して、発信側端末から、発信元情報を含んだ接続信号とともに、サービス情報を受信する受信手段と、
前記受信手段により受信されたサービス情報を用いて、前記記憶手段に記憶されているサービス情報のうち、前記受信手段により受信された接続信号に含まれている発信元情報に対応するサービス情報を更新する更新手段とを備える通信端末。
【請求項５】
加入者を示す識別情報ごとにサービス情報を対応付けたサービス管理情報を記憶する記憶手段を備える通信制御装置における通信制御方法であって、
発信側端末から着信側端末に対する通信接続の接続信号を受信する受信ステップと、
前記受信ステップにより受信された接続信号に含まれている発信元情報に基づいて、前記着信側端末に対して提供可能なサービスを示すサービス情報を、前記記憶手段に記憶されているサービス管理情報から抽出する抽出ステップと、
前記抽出ステップにより抽出されたサービス情報を前記接続信号とともに前記着信側端末に送信する送信ステップと、
を備える通信制御方法。
【発明の詳細な説明】
【技術分野】
【０００１】
本発明は、利用することができる機能を通信相手に通知することができ通信制御装置、通信端末、および通信制御方法に関する。
【背景技術】
【０００２】
近年の携帯電話は、様々な機能を備えており、例えば、音声通話のほか、テレビ電話、ＰＯＣ（Push to talk Over Cellular）、メールなどの各機能を備えている（特許文献１の段落００２５参照）。
【特許文献１】特開２００７−３１８６８３号公報
【発明の開示】
【発明が解決しようとする課題】
【０００３】
近年、ＭＮＰ（Mobile Number Portability）サービスが提供されており、携帯電話の電話番号を変えることなく、通信キャリア事業者を変えることができるサービスが提供されている。このようなＭＮＰサービスのもとでは、知らない間に、通信相手が利用している通信キャリア事業者および利用することができるサービスが変わってしまう場合がある。
【０００４】
例えば、アドレス帳には宛先程度しか登録されておらずユーザは相手が利用する通信キャリア事業者および相手が利用できるサービスを知らないため、利用することができる通信方式をあえて選択しない場合が考えられる。例えば、通信キャリア事業者および機種が変わってしまったため、テレビ電話サービスを利用することができるのにもかかわらず、その事実を知らないことから、通常の音声のみの通話を選択してしまうことが考えられる。よって、ユーザは相手に応じた通信方式を適切に選択することができず、使い勝手の悪いものであった。
【０００５】
そこで、本発明は、上述課題に鑑みて、利用することができるサービスをユーザに知らせることができる通信制御装置、通信端末、および通信制御方法を提供することを目的とする。
【課題を解決するための手段】
【０００６】
本発明の通信制御装置は、加入者を示す識別情報ごとにサービス情報を対応付けたサービス管理情報を記憶する記憶手段と、発信側端末から着信側端末に対する通信接続の接続信号を受信する受信手段と、前記受信手段により受信された接続信号に含まれている識別情報に基づいて、前記発信側端末が利用可能なサービスを示すサービス情報を、前記記憶手段に記憶されているサービス管理情報から抽出する抽出手段と、前記抽出手段により抽出されたサービス情報を前記接続信号とともに前記着信側端末に送信する送信手段と、を備えている。
【０００７】
また、本発明の通信制御方法は、加入者を示す識別情報ごとにサービス情報を対応付けたサービス管理情報を記憶する記憶手段を備える通信制御装置における通信制御方法であって、一の通信端末である発信側端末から着信側端末に対する通信接続の接続信号を受信する受信ステップと、前記受信ステップにより受信された接続信号に含まれている発信元情報に基づいて、前記発信側端末が利用可能なサービスを示すサービス情報を、前記記憶手段に記憶されているサービス管理情報から抽出する抽出ステップと、前記抽出ステップにより抽出されたサービス情報を前記接続信号とともに前記着信側端末に送信する送信ステップと、を備えている。
【０００８】
この発明によれば、発信側端末から着信側端末に対する通信接続の接続信号を受信し、受信された接続信号に含まれている識別情報に基づいて、発信側端末が利用可能なサービスを示すサービス情報を、予め記憶されているサービス管理情報から抽出する。そして、抽出されたサービス情報を接続信号とともに着信側端末に送信する。これにより、発信側端末で利用することができるサービス情報を着信側端末で知ることができ、使い勝手のよい通信端末（着信側端末）を実現することができる。
【０００９】
また、本発明の通信制御装置において、前記受信手段は、前記発信側端末において設定されている、サービス情報の開示可否を示す可否情報を含んだ接続信号を受信し、前記送信手段は、前記可否情報が開示可であると判断される場合に、サービス情報の送信を行うことが好ましい。
【００１０】
この発明によれば、発信側端末において設定されている、サービス情報の開示可否を示す可否情報を含んだ接続信号を受信し、可否情報が開示可であると判断される場合に、サービス情報の送信を行う。これにより、可否情報に従って指定された宛先に対してのみサービス情報の通知を行うことができ、宛先に即した通知を実現することができる。
【００１１】
また、本発明の通信制御装置において、前記記憶手段は、加入者の識別情報と当該加入者が使用している機種情報とを対応付けて記憶するとともに、機種情報とサービス情報とを対応付けて記憶し、前記受信手段は、前記発信側端末から前記加入者の識別情報を含んだ接続信号を受信し、前記抽出手段は、前記受信手段により受信された識別情報に基づいて機種情報を抽出し、抽出された機種情報に基づいて前記発信側端末が提供可能なサービス情報を抽出することが好ましい。
【００１２】
この発明によれば、加入者の識別情報を含んだ接続信号を受信し、受信された識別情報に基づいて機種情報を抽出し、抽出された機種情報に基づいて発信側端末が提供可能なサービス情報を抽出することにより、発信側端末の機種に応じたサービス情報を通知することができる。例えば、その機種特有の通信機能を利用したサービスを通知することができる。
【００１３】
また、本発明の通信端末は、上記通信制御装置と通信する通信端末であって、通信宛先ごとに、サービス情報を記憶する記憶手段と、前記通信制御装置を介して、発信側端末から、発信元情報を含んだ接続信号とともに、サービス情報を受信する受信手段と、前記受信手段により受信されたサービス情報を用いて、前記記憶手段に記憶されているサービス情報のうち、前記受信手段により受信された接続信号に含まれている発信元情報に対応するサービス情報を更新する更新手段とを備えている。
【００１４】
この発明によれば、発信側端末から、発信元情報を含んだ接続信号とともに、サービス情報を受信し、受信されたサービス情報を用いて、予め記憶されているサービス情報のうち、受信された接続信号に含まれている発信元情報に対応するサービス情報を更新する。これにより、特別な処理を行うことなく発信側端末からサービス情報を取得することができ、効率的にアドレス帳などに記憶されている宛先のサービス情報を更新することができる。
【発明の効果】
【００１５】
本発明によれば、発信側端末で利用することができるサービス情報を着信側端末で知ることができ、使い勝手のよい通信端末（着信側端末）を実現することができる。
【発明を実施するための最良の形態】
【００１６】
本発明は、一実施形態のために示された添付図面を参照して以下の詳細な記述を考慮することによって容易に理解することができる。以下、添付図面を参照しながら本発明の実施形態を説明する。可能な場合には、同一の部分には同一の符号を付して、重複する説明を省略する。
【００１７】
図１は、本実施形態における移動機１００、４００、および移動通信交換機２００を用いた通信システムを示すシステム構成図である。図１に示すように、この通信システムは、移動機１００、４００、ＢＴＳ（Base Transceiver Station：無線基地局）１５１、ＲＮＣ（Radio Network Controller：無線制御装置）１５２、移動通信交換機２００、在圏情報管理装置３０１、および他網交換機３０２を含んで構成されている。
【００１８】
移動機１００は、例えば携帯電話であって、ＢＴＳ１５１、ＲＮＣ１５２を介して無線通信を行うものである。移動機４００も、移動機１００と同様の接続関係にある。
【００１９】
移動通信交換機２００は、ＢＴＳ１５１、ＲＮＣ１５２を介して移動機１００からの通信を他の通信端末と接続するための通信管理装置であり、本実施形態では、ＶＬＲ（Visited Located Register：在圏情報管理装置）、ＭＳＣ（移動通信交換装置：Mobile Switching Center）を含んだものとなっている。この移動通信交換機２００は、移動機１００からの通信接続要求に応じて、在圏情報管理装置３０１に問合せを行い、通信接続要求先が自網（自社が構築しているネットワーク）を利用する移動機であるか、他網（他社が構築しているネットワーク）を利用する移動機であるかを取得する。そして、移動通信交換機２００は、通信接続要求先が自網を利用する移動機である場合には、その相手に対して通信接続を行う。また、移動通信交換機２００は、通信接続要求先が他網を利用する移動機である場合には、他網交換機３０２と通信接続する。他網交換機３０２は、その通信接続要求に応じて通信接続処理を行う。
【００２０】
ここで、本実施形態の在圏情報管理装置３０１は、移動機１００に関する加入者情報を記憶する記憶手段を備えた装置であって、電話番号、ユーザＩＤ、契約しているサービス内容などの加入者情報を記憶するほか、当該移動機１００の在圏情報を記憶する装置であり、ＨＬＲ（Home Located Register：在圏情報記憶装置）、ｇｓｍＳＣＦ（Service Control Function：サービス制御機能部）から構成されたものとなっている。
【００２１】
このように構成された通信システムにおける移動機１００の構成について、図２を用いて説明する。図２は、移動機１００の機能を示すブロック図である。この移動機１００は、記憶部１０１、キャリア判定部１０２、開示可否設定部１０３、通信部１０４、更新部１０５、確認部１０６、および表示部１０７を含んで構成されている。以下、各構成について説明する。
【００２２】
記憶部１０１は、アドレス帳を記憶する部分であり、宛先名、電話番号、当該電話番号の通信キャリア事業者、および当該電話番号で示される通信機（携帯電話機など）が利用することができる対応サービス情報ならびに当該対応サービス情報の開示の可否を示す開示可否情報をそれぞれ対応付けて記憶する部分である。例えば、記憶部１０１は、図３に示すような情報が記憶されている。図３は、記憶部１０１に記憶されている情報を示す概要図であり、例えば記憶部１０１は、宛先を示す名前、宛先の電話番号、宛先で使用されている通信キャリア事業者を示すキャリア情報、およびこの宛先の通信機（携帯電話機など）が利用することができる機能およびサービスを示す対応サービス情報、ならびにその対応サービス情報の開示の可否を示す開示可否情報を対応付けて記憶している。なお、開示可否情報は、○が開示可、×が開示不可を示している。
【００２３】
キャリア判定部１０２は、ユーザが発信操作を行うときに、その発信先として指定された宛先のキャリア情報が、移動機１００が利用する通信キャリア事業者と同じ事業者である自社事業者を示したキャリア情報であるか否かを判定する部分である。このキャリア判定部１０２が自社事業者を示したキャリア情報であると判定するとその旨を通信部１０４に指示する。キャリア判定部１０２が自社事業者を示したキャリア情報ではない、すなわち移動機１００が利用する通信キャリア事業者ではない他社事業者を示したキャリア情報であると判定すると、その旨を開示可否設定部１０３に出力する。
【００２４】
開示可否設定部１０３は、対応サービス情報に対する開示の可否を示す可否情報を、ユーザ操作により設定する部分である。そして、開示可否設定部１０３は、ユーザ操作による発信時に、対応サービス情報を開示するか否かを、予め設定された開示情報に基づいて判断する。
【００２５】
通信部１０４は、接続信号、音声信号、およびデータ信号などを通信網に向けて送信し、また移動通信交換機２００から応答信号を受信する部分である。より詳細には、通信部１０４は、ユーザ操作による発信時に発信宛先の電話番号を含んだ接続信号とともに、通信キャリア事業者を示すキャリア情報ならびに開示可否情報を送信し、キャリア情報を含んだ応答信号を受信する。
【００２６】
更新部１０５は、通信部１０４により受信された応答信号に含まれているキャリア情報を用いて、記憶部１０１に記憶されているアドレス帳のキャリア情報を更新する部分である。例えば、応答信号には発信先の宛先情報が含まれており、この宛先情報をキーに対応するアドレス帳におけるキャリア情報を書き換える処理を行う。
【００２７】
確認部１０６は、通信部１０４により応答信号を受信し、更新部１０５が更新処理を行うと、対応サービス情報の開示可否の設定を行うようユーザに確認する部分である。例えば、表示部１０７に、対応サービス情報の開示の可否の設定を行うよう表示することで、ユーザはいずれかを選択することができる。
【００２８】
表示部１０７は、各種情報を表示する部分であり、例えば、確認部１０６により指定された確認画面を表示する部分である。
【００２９】
この移動機１００は、図４に示すハードウェアにより実現される。図４は、移動機１００のハードウェア構成図である。移動機１００は、物理的には、図４に示すように、ＣＰＵ１１、主記憶装置であるＲＡＭ１２及びＲＯＭ１３、無線通信を行うための無線通信モジュール１４、入力デバイスである操作部１５、ディスプレイ１６、フラッシュメモリ１７などを含む携帯電話として構成されている。図２において説明した各機能は、図４に示すＣＰＵ１１、ＲＡＭ１２等のハードウェア上に所定のコンピュータソフトウェアを読み込ませることにより、ＣＰＵ１１の制御のもとで無線通信モジュール１４、操作部１５、ディスプレイ１６を動作させるとともに、ＲＡＭ１２、フラッシュメモリ１７のデータの読み出し及び書き込みを行うことで実現される。
【００３０】
つぎに、移動機１００の発信先である移動機４００について説明する。図５は、移動機４００の機能を示すブロック図である。図５に示すように、移動機４００は、受信部４０１（受信手段）、更新部４０２（更新手段）、記憶部４０３（記憶手段）および表示部４０４を含んで構成されている。この移動機４００は、移動機１００と同様に図４に示されているハードウェアにより構成されている。以下、各構成要素について説明する。
【００３１】
受信部４０１は、移動機１００から通信網を経由して、移動機１００を示す発信元情報（移動機１００の電話番号などの識別情報）および対応サービス情報を含んだ接続信号を受信し、応答信号を送信する部分である。受信部４０１は、受信した接続信号に含まれている対応サービス情報を更新部４０２に出力する。
【００３２】
更新部４０２は、受信部４０１から出力された対応サービス情報をその発信元情報ととともにユーザに通知するとともに、更新するか否かを通知する部分である。更新部４０２は、ユーザ操作により更新の旨の指示が行われると、記憶部４０３に記憶されているアドレス帳のうち、受信部４０１から出力された発信元情報に対応する対応サービス情報を更新する処理を行う。
【００３３】
記憶部４０３は、電話番号、氏名、キャリア情報、対応サービス情報を記述したアドレス帳を記憶する部分である。更新部４０２からの処理にしたがって、適宜更新処理がなされる。
【００３４】
つぎに、この移動機１００で利用することができる対応サービス情報を、通信宛先である移動機４００に通知することができる移動通信交換機２００について説明する。
【００３５】
図６は、移動通信交換機２００の構成を示すブロック図である。図６に示すとおり、移動通信交換機２００は、受信部２０１（受信手段）、識別部２０２、問合せ部２０３（抽出手段）、他網接続部２０４、ポートアウト判断部２０５、キャリア情報判断部２０６、付加部２０７、送信部２０８（送信手段）およびサービス判断部２０９を含んで構成されている。以下、各構成について説明する。
【００３６】
受信部２０１は、移動機１００からの接続信号に含まれる電話番号、そのキャリア情報および開示可否情報を受信する部分である。
【００３７】
識別部２０２は、受信部２０１により受信された電話番号に基づいて、通信キャリア事業者を識別する部分である。電話番号は通信キャリア事業者ごとに割り当てられており、電話番号の一部の数字に基づいて通信キャリア事業者に割り当てられた電話番号であるかを判断することができる。例えば、０９０−５○○○−××××という電話番号であれば、“５”の部分を認識して、その電話番号はＡ社の通信キャリア事業者であると判断することができる。識別部２０２は、電話番号に基づいて自社の電話番号であるか、他社の電話番号であるかを識別し、その旨を問合せ部２０３または他網接続部２０４に出力する。
【００３８】
問合せ部２０３は、識別部２０２から出力された通信キャリア事業者を示す情報に基づいて、接続信号に含まれている電話番号が自社の電話番号であると判断した場合には、自社の加入者を管理する在圏情報管理装置３０１に、当該電話番号を有する携帯電話がどこに在圏しているかを示す在圏情報、またはＭＮＰにより他社の通信キャリア事業者に移行した場合（いわゆるポートアウト、以下ポートアウトと称する）には、その移行先（すなわちポートアウト先）を問い合わせる。問合せ部２０３は、問い合わせに対する応答信号として在圏情報またはポートアウト先情報を取得し、これら情報をポートアウト判断部２０５に出力する。このような動作により問合せ部２０３は、ポートアウトの有無およびポートアウト先を問い合わせることができる。
【００３９】
さらに、問合せ部２０３は、在圏情報管理装置３０１（記憶手段に相当）に記憶されているサービス管理情報（契約者情報テーブル３０１ａおよび機能テーブル３０１ｂ）にアクセスし、接続信号に含まれている発信元情報に基づいて、発信元の対応サービス情報を取得する。この対応サービス情報は、加入者が通信キャリア事業者と契約しているサービス内容および加入者が利用している移動機の機種を示す機種情報に基づいたサービス内容である。
【００４０】
例えば、契約者情報テーブル３０１ａは、図７（ａ）に示されるとおり、対応サービス情報として、加入者の電話番号、加入者が利用している移動機の機種情報、およびサービス内容を対応付けて記憶している。さらに、図７（ｂ）に示されているとおり、機能テーブル３０１ｂは、機種情報と利用できる機能とを対応付けて記憶している。問合せ部２０３は、契約者情報テーブル３０１ａから接続信号に含まれている発信元情報（例えば電話番号）に基づいて機種情報および契約しているサービス内容を取得し、契約者情報テーブル３０１ａから取得された機種情報に従って、機能テーブル３０１ｂからその発信元が利用できる機能（対応サービス情報）を取得することができる。
【００４１】
問合せ部２０３は、この契約者情報テーブル３０１ａに記憶されている加入者情報に基づいて、契約サービス内容および機能情報（これらを総称して対応サービス情報）を取得し、これを付加部２０７に出力する。
【００４２】
他網接続部２０４は、識別部２０２からの通信キャリア事業者を示す情報に基づいて、接続信号に含まれている電話番号が他社の電話番号であると判断した場合には、当該他社の加入者を管理する他網交換機３０２に対して通信接続処理を行う。ここで、他網交換機３０２では、宛先の電話番号に基づき在圏情報またはポートアウトの確認が行われ、ポートアウトしている場合には応答信号としてポートアウト先情報が移動通信交換機２００に対して送信される。また、ポートアウトしていない場合には、通信接続処理が行われ、接続している旨の応答信号が送信される。他網接続部２０４は、これら応答信号をポートアウト判断部２０５に出力する。このようにして他網接続部２０４は、ポートアウトの有無およびポートアウト先を問い合わせることができる。
【００４３】
ポートアウト判断部２０５は、問合せ部２０３または他網接続部２０４から出力された応答信号に基づいて、移動機１００から発信しようとした電話番号がポートアウトされたものか否かを判断する。具体的には、ポートアウト判断部２０５は、問合せ部２０３または他網接続部２０４から出力された情報にポートアウト先情報が含まれている場合には、ポートアウトしたと判断し、ポートアウト先情報が含まれておらず、在圏情報としてまたは他網への接続に対する応答として応答信号のみを受信した場合には、移動機１００から発信しようとした電話番号はポートアウトしていないと判断する。ポートアウト判断部２０５は、これら判断結果およびキャリア情報をキャリア情報判断部２０６に出力する。
【００４４】
キャリア情報判断部２０６は、ポートアウト判断部２０５によりポートアウトしていないと判断された場合には、受信部２０１により受信されたキャリア情報と識別部２０２により識別されたキャリア情報とを比較する。ここで一致しない場合には付加部２０７において識別されたキャリア情報を応答信号に付加させる指示を行う。また、一致する場合には、付加部２０７に対して何ら指示はしない。
【００４５】
また、キャリア情報判断部２０６は、ポートアウト判断部２０５によりポートアウトしたと判断された場合には、受信部２０１により受信されたキャリア情報と問合せ部２０３または他網接続部２０４にて取得されたキャリア情報とを比較する。ここで一致しない場合には、付加部２０７において問合せ部２０３または他網接続部２０４にて取得されたキャリア情報を応答信号に付加させる指示を行う。また、一致する場合には、付加部２０７に対して何ら指示はしない。
【００４６】
サービス判断部２０９は、ポートアウト判断部２０５により宛先となる通信相手が利用している通信キャリア事業者が自社事業者であると判断すると、受信部２０１により受信された開示可否情報において開示可である旨の情報が接続信号に付加されていたか否かを判断する。開示可である旨の開示可否情報が接続信号に付加されていた場合には、その旨を付加部２０７に出力する。
【００４７】
付加部２０７は、キャリア情報判断部２０６からの指示に応じて応答信号にキャリア情報を付加する。また、付加部２０７は、サービス判断部２０９からの指示に応じて接続信号にキャリア情報および対応サービス情報を付加する。すなわち、付加部２０７は、サービス判断部２０９により開示可であると判断された場合には、問合せ部２０３から出力された対応サービス情報を接続信号に付加する。また、開示不可であると判断された場合には、問合せ部２０３から出力された対応サービス情報は付加しない。なお、問合せ部２０３は、サービス判断部２０９によりサービス開示可否情報が可であると判断されたときのみ、対応サービス情報を取得するようにしてもよく、その場合は、付加部２０７は上述の判断を省略することができる。
【００４８】
送信部２０８は、対応サービス情報が付加された接続信号を通信相手に送信する。また、送信部２０８は、付加部２０７にてキャリア情報が付加された応答信号を発信元に送信し、またはキャリア情報が付加されてない応答信号を発信元に送信する。
【００４９】
このように移動通信交換機２００は、在圏情報管理装置３０１または他網交換機３０２からポートアウトの有無を取得し、ポートアウトの有無に応じて、通信相手が自社事業者を利用している移動機であるか否かを判断し、自社事業者である場合には、付加部２０７は対応サービス情報を接続信号に付加して、送信部２０８は送信する。この接続信号を受けた着信側の移動機４００は、アドレス帳に記述されている対応サービス情報を、受信した対応サービス情報に書き換えることで、更新することができる。
【００５０】
つぎに、本実施形態の移動機１００において、発信処理を行うときの動作について説明する。図８は、移動機１００において、発信処理を行うときのフローチャートである。
【００５１】
ユーザは、操作部（図示せず）を操作することにより、記憶部１０１に記憶されているアドレス帳に基づいて、発信先の入力およびその発信操作を行い、移動機１００はこれを受け付ける（Ｓ１１）。そして、発信先のキャリア情報が自社事業者であるか否かがキャリア判定部１０２により判定される（Ｓ１２）。
【００５２】
ここで、キャリア情報が自社であると判定されると（Ｓ１２：自社）、対応サービス情報が開示可であるか否かが、開示可否設定部１０３により判断される（Ｓ１３）。開示可であると判断されると、開示可であることを示す開示可否情報が、通信部１０４において接続信号に付加され（Ｓ１４）、開示可否情報が付加された接続信号が送信される（Ｓ１５）。
【００５３】
つぎに、本実施形態の移動機１００および移動通信交換機２００におけるキャリア情報を取得するときの動作について説明する。図９は、移動機１００および移動通信交換機２００の動作を示すシーケンス図である。
【００５４】
まず、移動機１００において、発信処理が行われ、開示可否情報、キャリア情報および発信先である電話番号を含んだ接続信号が移動通信交換機２００に送信される（Ｓ１０１）。移動通信交換機２００では、接続信号に含まれている開示可否情報およびキャリア情報が抽出され、予め定められた記憶部（図示せず）に記憶される（Ｓ１０２）。そして、移動通信交換機２００の識別部２０２により、接続先電話番号に基づいて、発信先の通信キャリア事業者が判断される（Ｓ１０３）。
【００５５】
ここで自社である判断された場合には、問合せ部２０３により接続先電話番号のユーザの在圏情報の問合せが在圏情報管理装置３０１に対して行われる（Ｓ１０４）。在圏情報管理装置３０１では、接続先電話番号に基づいて、当該電話番号のユーザの在圏情報またはポートアウトしていたらポートアウト先情報が取得され（Ｓ１０５）、それぞれ問い合わせに対する応答信号に含めて移動通信交換機２００に返信される（Ｓ１０６）。移動通信交換機２００では、移動機１００とその通信相手との通信接続処理が行われるとともに、移動機１００に対して、以下詳述するようなキャリア情報を通知するための応答処理が行われる。
【００５６】
また、Ｓ１０３において、接続先電話番号により通信キャリア事業者が他社であると判断された場合には、他網接続部２０４により当該事業者の交換機に対して接続信号が送信され、在圏情報またはポートアウトしていたならばポートアウト先情報の問合せが行われる（Ｓ１０７）。他網交換機３０２では、その問い合わせに基づいてその在圏情報またはポートアウト先情報が取得され、そのポートアウト先情報が応答信号に含められて移動通信交換機２００に返信される。
【００５７】
ここで、在圏情報管理装置３０１および他網交換機３０２の動作についてそれぞれ図１０および１１を用いて説明する。図１０は、在圏情報管理装置３０１の動作を示すフローチャートである。
【００５８】
在圏情報管理装置３０１では、接続先電話番号に基づいてポートアウトしたか否かが判断される（Ｓ１０５ａ）。ポートアウトしたと判断された場合、ポートアウト先の通信キャリア事業者情報（ポートアウト先情報）が抽出され（Ｓ１０５ｂ）、ポートアウト先情報が応答信号に含めて送信される（Ｓ１０５ｃ）。
【００５９】
また、ポートアウトしていないと判断された場合、接続先電話番号のユーザの在圏情報が取得され、応答信号に含めて送信される（Ｓ１０５ｄ）。
【００６０】
図１１は、他網交換機３０２の動作を示すフローチャートである。他網交換機３０２において、接続先電話番号に基づいてポートアウトしたか否かが判断される（Ｓ１０８ａ）。ポートアウトしたと判断された場合には、ポートアウト先情報が抽出され（Ｓ１０８ｂ）、移動通信交換機２００に対して、ポートアウト先情報を含んだ応答信号が送信される（Ｓ１０８ｃ）。
【００６１】
また、ポートアウトしていないと判断された場合には、そのまま通信接続処理が行われ、宛先である通信端末と通信接続処理を行い（Ｓ１０８ｄ）、その通信接続処理結果が取得され（Ｓ１０８ｅ）、この結果を含んだ応答信号が移動通信交換機２００に送信される（Ｓ１０８ｆ）。
【００６２】
以上の通り、在圏情報管理装置３０１および他網交換機３０２においてそれぞれ在圏情報またはポートアウト先情報が取得され、移動通信交換機２００に送信される。
【００６３】
つぎに、移動通信交換機２００がキャリア情報を取得し、その後、移動機１００に対してキャリア情報を含んだ応答信号を送信するときの動作について説明する。図１２は、移動通信交換機２００における、対応サービス情報を接続信号に付加し、また在圏情報管理装置３０１から取得したキャリア情報を応答信号に付加するときの動作を示すフローチャートである。
【００６４】
まず、図９におけるＳ１０９において、ポートアウト先情報が含んだ応答信号が受信されたか否かが、移動通信交換機２００のポートアウト判断部２０５により判断される（Ｓ２０１）。すなわち、移動機１００が発信しようとした発信先の電話番号がポートアウトしたか否かが判断される。そして、ポートアウトしたと判断された場合には、さらにポートアウト判断部２０５により、ポートアウト先情報に基づいて、通信キャリア事業者は自社事業者であるか、他社事業者であるかが判断される（Ｓ２０２）。
【００６５】
ここで、自社事業者であると判断された場合には、対応サービス情報の開示設定が可であるか否かが、サービス判断部２０９により判断される（Ｓ２０３）。開示が可であると判断されると、付加部２０７により接続信号に対応サービス情報が付加されて、着信側の通信宛先に送信され、その応答信号が受信される（Ｓ２０４）
【００６６】
一方、Ｓ２０２において、通信キャリア事業者が他社事業者である場合、または開示可否情報が否に設定されていた場合には、付加部２０７による対応サービス情報が付加されることなく、接続信号が着信側の通信宛先に送信され、その応答信号が受信される（Ｓ２０５）。
【００６７】
そして、応答信号が受信されると、発信側において把握している着信側の宛先の通信キャリア事業者とポートアウト判断部２０５において取得され判断された通信キャリア事業者が、同じであるか否かがキャリア情報判断部２０６により判断される（Ｓ２０６）。すなわち、Ｓ１０２において取得され、記憶されたキャリア情報とＳ１０９において受信された応答信号に含まれているキャリア情報とが、キャリア情報判断部２０６により比較される（Ｓ２０６）。
【００６８】
ここで、両者のキャリア情報が一致していないと判断された場合には、Ｓ１０９において受信された応答信号に含まれているキャリア情報が移動機１００の通信接続要求に対する応答信号に、付加部２０７により付加され（Ｓ２０７）、キャリア情報が付加された応答信号が送信される（Ｓ２１０）。また、両者のキャリア情報が一致すると判断された場合には、何も処理されることはなく、移動機１００の通信接続要求に対する応答信号（キャリア情報は付加されず）が送信される（Ｓ２１０）。
【００６９】
また、Ｓ２０１において、ポートアウト先情報が応答信号に含まれていない場合にはポートアウトしていないと判断され、Ｓ１０２において取得され記憶されたキャリア情報と、識別部２０２により接続先電話番号に基づいて判断された通信キャリア事業者を示すキャリア情報とが一致するか否かが、キャリア情報判断部２０６により判断される（Ｓ２０８）。
【００７０】
ここで、一致しないと判断された場合には、識別部２０２により判断されたキャリア情報が、移動機１００の通信接続要求に対する応答信号に付加され（Ｓ２０９）、キャリア情報が付加された応答信号が送信される（Ｓ２１０）。また、一致すると判断された場合には、何も処理されることなく、移動機１００に対する応答信号（キャリア情報は付加されない）が送信される（Ｓ２１０）。
【００７１】
同様にして、在圏情報管理装置３０１からポートアウト先情報を含んだ応答信号が受信された場合に、移動機１００の通信接続要求に対する応答信号にキャリア情報が付加されて処理される。図１３は、その具体的動作を示すフローチャートであり、移動通信交換機２００において、対応サービス情報を接続信号に付加し、また在圏情報管理装置３０１からポートアウト先情報を含んだ応答信号が受信された場合に、移動機１００の通信接続要求に対する応答信号にキャリア情報を付加するときの動作を示すフローチャートである。
【００７２】
まず、図９におけるＳ１０６において、ポートアウト先情報が含んだ応答信号が受信されたか否かが、移動通信交換機２００のポートアウト判断部２０５により判断される（Ｓ３０１）。すなわち、移動機１００が発信しようとした発信先の電話番号がポートアウトしたか否かが判断される。
【００７３】
ここで、ポートアウトしたとポートアウト判断部２０５により判断されると、送信部２０８によりポートアウト先に接続信号は送信され、その応答が受信部２０１により受信される（Ｓ３０２）。そして、Ｓ１０６において受信された応答信号にポートアウト先情報が含まれている場合にはポートアウトしたと判断され、Ｓ１０２において取得され記憶されたキャリア情報とＳ１０６において受信された応答信号に含まれているキャリア情報とが、キャリア情報判断部２０６により比較される（Ｓ３０３）。
【００７４】
ここで、両者のキャリア情報が一致していないと判断された場合には、Ｓ１０６において受信された応答信号に含まれているキャリア情報が移動機１００の通信接続要求に対する応答信号に、付加部２０７により付加され（Ｓ３０４）、キャリア情報が付加された応答信号が送信される（図１２のＳ２１０）。また、両者のキャリア情報が一致すると判断された場合には、何も処理されることはなく、移動機１００の通信接続要求に対する応答信号（キャリア情報は付加されず）が送信される（図１２のＳ２１０）。
【００７５】
また、Ｓ３０１において、ポートアウト先情報が応答信号に含まれていない場合にはポートアウトしていないと判断されると、対応サービス情報の開示可である旨を示す開示可否情報が付加されているか否かがサービス判断部２０９により判断される（Ｓ３０５）。サービス判断部２０９により開示可である旨の開示可否情報が付加されていると判断されると、付加部２０７により対応サービス情報が接続信号に付加され、当該接続信号が送信部２０８により送信される（Ｓ３０６）。そして、Ｓ１０２において取得され記憶されたキャリア情報と、識別部２０２により接続先電話番号に基づいて判断された通信キャリア事業者を示すキャリア情報とが一致するか否かが、キャリア情報判断部２０６により判断される（Ｓ３０８）。
【００７６】
ここで、一致しないと判断された場合には、識別部２０２により判断されたキャリア情報、すなわち自社であることを示すキャリア情報が、移動機１００の通信接続要求に対する応答信号に付加され（Ｓ３０９）、キャリア情報が付加された応答信号が送信される（図１２のＳ２１０）。また、一致すると判断された場合には、何も処理されることなく、移動機１００に対する応答信号（キャリア情報は付加されない）が送信される（図１２のＳ２１０）。
【００７７】
以上の通り、移動通信交換機２００は、発信側の移動機１００からの指示に基づいて自機において契約している対応サービス情報を着信側の移動機４００に通知するために、接続信号に対応サービス情報を付加して送信することができ、着信側の移動機４００に対応サービス情報を通知することができる。
【００７８】
また、移動通信交換機２００は、移動機１００が発信しようとした接続先電話番号がポートアウトした場合には、そのポートアウト先の通信キャリア事業者を示すキャリア情報を取得し、移動機１００の通信接続要求に対する応答信号にキャリア情報を付加して、送信することができる。
【００７９】
つぎに、このようにキャリア情報が付加された応答信号を受信する移動機１００の動作について説明する。図１４は、移動機１００のキャリア情報を更新し、対応サービス情報の開示設定を行うときの動作を示すフローチャートである。
【００８０】
図１２および図１３にて説明した動作により、移動通信交換機２００からキャリア情報が含んだまたは含まない応答信号が、移動機１００の通信部１０４により受信される。移動機１００の更新部１０５により、受信された応答信号にキャリア情報が含まれているか否かが判断される（Ｓ４０１）。そして、キャリア情報が含まれていると判断された場合には、記憶部１０１に記憶されているアドレス帳のキャリア情報が更新部１０５により更新される。具体的には、応答信号に含まれている電話番号と一致する電話番号がアドレス帳において検索され、その電話番号に対応するキャリア情報が、応答信号に含まれているキャリア情報に書き換えられる（Ｓ４０２）。そして、表示部１０７に、更新されたキャリア情報が表示される（Ｓ４０３）。
【００８１】
その後、確認部１０６において、通信キャリア事業者が自社事業者であるか否かが判断され（Ｓ４０４）、自社である場合には、対応サービス情報の開示可否情報に対する設定の確認が確認部１０６によりユーザに対して行われる（Ｓ４０５）。例えば、開示可と開示不可をユーザに選択させる画面表示がなされる。また、自社ではない場合には、ユーザに対して確認処理が行われることなく処理は終了する。
【００８２】
以上の通り、移動機１００は移動通信交換機２００からキャリア情報を取得した場合には、そのキャリア情報にそのアドレス帳に記述されているキャリア情報を書き換えることができ、常に新しいキャリア情報を記憶しておくことができる。さらに、通信キャリアが自分が利用している事業者と同じである場合には、対応サービスの開示の可否設定を行うことができ、使い勝手のよい装置を実現できる。
【００８３】
つぎに、移動機４００における動作について説明する。図１５は、着信先の移動機４００の動作を示すフローチャートである。なお、図１５においては接続信号に対応サービス情報が含まれていることを前提としている。
【００８４】
受信部４０１により接続信号が受信される（Ｓ５０１）。そして、更新部４０２により、接続信号に含まれている対応サービス情報が抽出される（Ｓ５０２）。対応サービス情報が抽出されると、更新部４０２により当該対応サービス情報に対するアドレス帳の更新の可否の問合せがユーザに対して行われる（Ｓ５０３）。ここで、更新部４０２により、更新するとユーザにより指示されると、記憶部４０３に記憶されているアドレス帳のうち、応答信号に含まれている着信先の宛先情報に基づいて、対応する宛先の対応サービス情報が書き換えられ、更新処理が行われる（Ｓ５０４）。
【００８５】
つぎに、上述の移動機１００の動作に対応した画面表示の概要について説明する。図１６は、移動機１００の表示部１０７に表示される画面の具体例を示す図である。図１６（ａ）は、アドレス帳（電話帳）の具体例を示す図であり、名前、電話番号、キャリア情報および対応サービスならびに対応サービスの開示の可否情報がそれぞれ対応付けて表示されている。ユーザは、このアドレス帳を見ながら、発信先を選択することができ、キャリア情報および対応サービスを確認することで、その相手特有の通信方法（例えばテレビ電話など）または特殊なキャラクタコードを用いた通信を行うことができる。また、開示可否情報に“○”が記述されている場合には、自装置の対応サービスが開示可であり、その宛先には自装置の対応サービスを通知することができる。逆に対応サービスの開示可否情報に“−”が記述されている場合には、自装置の対応サービスが開示不可であり、その宛先には、自装置の対応サービスを通知することができない。ユーザは開示可否情報を宛先に合わせて設定することができる。
【００８６】
図１６（ｂ）は、発信処理を行うときの画面の具体例であり、図９におけるＳ１０１の接続信号を送信しているときに表示される画面の具体例である。この画面で表されているように、発信中である旨を表示するとともに、対応サービス情報を送信した旨が表示されている。
【００８７】
つぎに、移動機４００の動作に対応した画面表示の概要について説明する。図１７、１８は、移動機４００の表示部４０４に表示される画面の具体例を示す図である。図１７では、移動機１００からの着信を受けていることを示す図である。図に示すように、表示部４０４には、対応サービス情報を受信した旨、およびその対応サービス情報が表示される。ここでは、テレビ電話、プッシュ・トーク、デコメール、ＧＰＳを移動機１００が利用できることが示されている。
【００８８】
図１８（ａ）では、着信履歴として、着信種別（音声着信である旨）、対応サービス情報を受信した旨、その具体的な対応サービス情報、およびその対応サービス情報を更新するか否かを選択させる選択情報を示す“ＹｅｓＮｏ”が選択可能に表示される。これは図１４におけるＳ４０５で表示される画面である。
【００８９】
図１８（ｂ）では、図１８（ａ）において更新することが選択された場合のアドレス帳の具体例を示す図である。図に示すように、更新された宛先に対応付けて更新された旨が表示される。ここでは吹き出しを用いて表示しているが、吹き出しを用いることなく更新された旨が表示されるようにしてもよい。
【００９０】
つぎに、本実施形態の移動通信交換機２００および移動機４００の作用効果について説明する。
【００９１】
本実施形態の移動通信交換機２００においては、受信部２０１が発信側端末である移動機１００から着信側端末である移動機４００に対する通信接続の接続信号を受信する。そして、問合せ部２０３は、受信された接続信号に含まれている発信元情報に基づいて、発信側端末である移動機１００が利用可能なサービスを示す対応サービス情報を、在圏情報管理装置３０１から抽出する。ここでは、サービス管理情報である契約者情報テーブル３０１ａおよび機能テーブル３０１ｂから抽出するように構成されているが、少なくとも契約されている対応サービス情報のみを抽出するように構成されてもよく、また契約者情報テーブル３０１ａには、機能をも含めた対応サービス情報を対応付けて記憶するようにしてもよい。そして、送信部２０８は、抽出された対応サービス情報を接続信号とともに着信側端末に送信する。これにより、発信側端末である移動機１００で利用することができる対応サービス情報を着信側端末である移動機４００で知ることができ、使い勝手のよい通信端末（着信側端末）を実現することができる。
【００９２】
また、本実施形態の移動通信交換機２００において、受信部２０１は、発信側端末である移動機１００において設定されている、対応サービス情報の開示可否を示す可否情報を含んだ接続信号を受信する。そして、サービス判断部２０９が、可否情報は開示可であると判断すると、付加部２０７は、問合せ部２０３により在圏情報管理装置３０１から抽出された対応サービス情報の付加を行い、送信部２０８はこれを送信する。これにより、可否情報に従って指定された宛先に対してのみ対応サービス情報の通知を行うことができ、宛先に即した通知を実現することができる。
【００９３】
また、本実施形態の移動機４００において、受信部４０１は、発信側端末である移動機１００から、発信元情報を含んだ接続信号とともに、当該発信元情報の移動機１００の対応サービス情報を受信する。そして、受信された対応サービス情報を用いて、記憶部４０３にアドレス帳として記憶されている対応サービス情報のうち、更新部４０２は、受信された接続信号に含まれている発信元情報に対応する対応サービス情報を更新する。これにより、特別な処理を行うことなく発信側端末から対応サービス情報を取得することができ、効率的にアドレス帳などに記憶されている宛先の対応サービス情報を更新することができる。
【図面の簡単な説明】
【００９４】
【図１】本実施形態における移動機１００、４００および移動通信交換機２００を用いた通信システムを示すシステム構成図である。
【図２】移動機１００の機能を示すブロック図である。
【図３】記憶部１０１に記憶されている情報を示す概要図である。
【図４】移動機１００のハードウェア構成図である。
【図５】移動機４００の機能を示すブロック図である。
【図６】移動通信交換機２００の機能を示すブロック図である。
【図７】契約者情報テーブル３０１ａおよび機能テーブル３０１ｂの具体例を示す説明図である。
【図８】移動機１００において、発信処理を行うときのフローチャートである。
【図９】移動機１００および移動通信交換機２００の動作を示すシーケンス図である。
【図１０】在圏情報管理装置３０１の動作を示すフローチャートである。
【図１１】他網交換機３０２の動作を示すフローチャートである。
【図１２】移動通信交換機２００における、対応サービス情報を接続信号に付加するときの動作を示すフローチャートである。
【図１３】移動通信交換機２００における、対応サービス情報を接続信号に付加するときの動作を示すフローチャートである。
【図１４】移動機１００の対応サービス情報の開示設定を行うときの動作を示すフローチャートである。
【図１５】着信先の移動機４００の動作を示すフローチャートである。
【図１６】移動機１００の表示部１０７に表示される画面の具体例を示す図である。
【図１７】移動機４００の表示部４０４に表示される画面の具体例を示す図である。
【図１８】移動機４００の表示部４０４に表示される画面の具体例を示す図である。
【符号の説明】
【００９５】
１００…移動機、１０１…記憶部、１０２…キャリア判定部、１０３…開示可否設定部、１０４…通信部、１０５…更新部、１０６…確認部、１０７…表示部、２００…移動通信交換機、２０１…受信部、２０２…識別部、２０３…問合せ部、２０４…他網接続部、２０５…ポートアウト判断部、２０６…キャリア情報判断部、２０７…付加部、２０８…送信部、２０９…サービス判断部、３０１…在圏情報管理装置、３０１ａ…契約者情報テーブル、３０１ｂ…機能テーブル、３０２…他網交換機、４００…移動機、４０１…受信部、４０２…更新部、４０３…記憶部、４０４…表示部。
【図１】
0005069142.tif 000002
【図２】
0005069142.tif 000003
【図３】
0005069142.tif 000004
【図４】
0005069142.tif 000005
【図５】
0005069142.tif 000006
【図６】
0005069142.tif 000007
【図７】
0005069142.tif 000008
【図８】
0005069142.tif 000009
【図９】
0005069142.tif 000010
【図１０】
0005069142.tif 000011
【図１１】
0005069142.tif 000012
【図１２】
0005069142.tif 000013
【図１３】
0005069142.tif 000014
【図１４】
0005069142.tif 000015
【図１５】
0005069142.tif 000016
【図１６】
0005069142.tif 000017
【図１７】
0005069142.tif 000018
【図１８】
0005069142.tif 000019